(57)【特許請求の範囲】
【請求項１】
直管状の縦管本体部内に空気芯筒と螺旋案内路が設けられた縦管の上部に、その縦管の外径よりも大きい外径を有する流入管を接続するための流入管接続部材が設けられ、該流入管接続部材が、縦管の上部開口部に接続される接続管部と、その接続管部の上端に連結され、接続管部の中空部に連通する開口部を有する樋状部とからなり、
前記流入管と流入管接続部材とは、補助筒状体を介して接続され、この補助筒状体は、一端が開口されて他端が覆蓋されており、流入管接続部材の樋状部の開口部に対応する下部に開口部を有し、
この補助筒状体の一端を前記流入管の端部に接続するとともに、流入管接続部材の樋状部上に、互いの開口部同士を連通させて連結されていることを特徴とする内面螺旋案内路付き管。
【発明の詳細な説明】
【０００１】
【発明の属する技術分野】
本発明は、自然流下式の垂直下水道管路に使用して好適な内面螺旋案内路付き管に関するものである。
【０００２】
【従来の技術】
従来、例えば、実開平４─５３８４２号公報に記載されているように、マンホールの側壁からマンホール内に突出された流入管の一端に曲り管を介して縦管の上端を接続し、縦管の下端をマンホール内の底部に設置して流入管によりマンホール内に流入された下水を縦管によりマンホール内の底部に導入することが知られている。
【０００３】
しかしながら、このようにマンホール内に設けられる縦管が長い場合には、縦管下端から流出される下水の落下衝撃が大きいためにマンホールの底部を損傷するおそれがある。
【０００４】
そこで、例えば、特開平８─４１９１５号公報に記載され、図８に示すように、縦管本体部ａ内面に沿って上端から下端まで螺旋状に形成された屈曲流下路が設けられた下水道用縦管ｅが提案されている。
この下水道用縦管ｅの上端に十字型継手ｂが接続され、その十字型継手ｂを介してマンホールｃ内に導入された流入管ｄの一端が接続されて、流入管ｄ内の下水は継手ｂを経由して下水道用縦管ｅ内に導入されるようになっている。
【０００５】
しかしながら、縦管本体部ａの外径よりも大きい外径を有する流入管ｄが接続される場合には、マンホールｃ内に、下水道用縦管ｅと流入管ｄのどちらを先に導入しても、やりとりのスペースがないため、十字型継手ｂを介して下水道用縦管ｅと流入管ｄとを接続するのが難しいという問題点がある。
【０００６】
【発明が解決しようとする課題】
本発明は、このような従来の問題点を解消し、狭いマンホール内において、縦管の外径よりも大きい外径を有する流入管と接続し易い内面螺旋案内路付き管を提供することを目的としてなされたものである。
【０００７】
【課題を解決するための手段】
本発明は、直管状の縦管本体部内に空気芯筒と螺旋案内路が設けられた縦管の上部に、その縦管の外径よりも大きい外径を有する流入管を接続するための流入管接続部材が設けられ、該流入管接続部材が、縦管の上部開口部に接続される接続管部と、その接続管部の上端に連結され、接続管部の中空部に連通する開口部を有する樋状部とからなる内面螺旋案内路付き管である。
【０００８】
本発明において、螺旋案内路を形成する材質としては、金属類をはじめ、プラスチックが挙げられる。
プラスチックとしては、熱可塑性樹脂では、ポリ塩化ビニルをはじめ、ポリエチレン、ポリプロピレン、メタクリル樹脂等が挙げられ、熱硬化性樹脂では、不飽和ポリエステル樹脂、ビニルエステル樹脂、エポキシ樹脂等が挙げられ、ガラス繊維等の無機繊維、炭素繊維、アラミド繊維、ビニロン繊維等の有機繊維にて強化したものとして使用することができる。
【０００９】
螺旋案内路の各路の高さは、縦管の径の１／２０〜５／１２程度が好ましい。螺旋案内路の肉厚は、口径によっても異なるが、通常、縦管の内径の１／２０〜１５／１００程度が好ましい。
螺旋案内路の螺旋ピッチは、１〜１０程度が好ましい。
【００１０】
本発明において、縦管を形成する材質としては、螺旋案内路を形成する材料と同様の材料が挙げられる。
【００１１】
【作用】
本発明の内面螺旋案内路付き管は、直管状の縦管本体部内に空気芯筒と螺旋案内路が設けられた縦管の上部に、その縦管の外径よりも大きい外径を有する流入管を接続するための流入管接続部材が設けられ、該流入管接続部材が、縦管の上部開口部に接続される接続管部と、その接続管部の上端に連結され、接続管部の中空部に連通する開口部を有する樋状部とからなることにより、マンホール内に縦管を立設し、その縦管の上部に、流入管接続部材を装着し、その流入管接続部材と流入管間を補助筒状体を介して接続することができるので、狭いマンホール内に設置された縦管の上部に容易に流入管接続部材及び補助筒状体を介して流入管を接続することができる。
【００１２】
【発明の実施の形態】
以下、本発明の実施の形態を、図面を参照して説明する。
図１は、本発明の内面螺旋案内路付き管の一例を示す断面図である。る。
図１に示すように、内面螺旋案内路付き管１は、縦管１１と流入管接続部材１２とからなる。
【００１３】
縦管１１は、縦管本体部１１１と、空気芯筒１１３と、螺旋案内路１１２，１１２′とからなる。
縦管本体部１１１の上端には、受口１１４が設けられている。
縦管本体部１１１内の上部には、略中心部に、内部が中空とされた空気芯筒１１３が立設されている。
【００１４】
縦管本体部１１１の内周面と、空気芯筒１１３の外周面との間に、第１の螺旋案内路１１２が配設されている。螺旋案内路１１２の内周面は空気芯筒１１３の外周面に接着されている。螺旋案内路１１２の外周面は縦管本体部１１１の内周面に接着されている。
【００１５】
縦管本体部１１１の下端には、流出管１１５が接続されており、流出管１１５の管頂のやや上方の縦管本体部１１１の内部には、第２の螺旋案内路１１２′が配設されている。
第２の螺旋案内路１２′の外周面は縦管本体部１１１の内周面に接着されている。第２の螺旋案内路１２′には空気芯筒は取り付けられていない。
縦管本体部１１１の内部の第１の螺旋案内路１１２と第２の螺旋案内路１１２′間には、螺旋案内路は配設されていない。
【００１６】
流入管接続部材１２は、縦管の外径よりも大きい外径を有する流入管を縦管の上部に接続するためのものであって、縦管１１１の上端の受口１１４に接続される接続管部１２１と、その接続管部１２１の上端に連結され、接続管部１２１の中空部に連通する開口部を有する樋状部１２２とからなる。
【００１７】
以下、図１に示す内面螺旋案内路付き管１の使用状態を図２〜図６を参照して説明する。
図２において、３はマンホールであって、上部に、内面螺旋案内路付き管１の縦管１１１の外径よりも大きい外径を有する流入管２が導入され、下部に流出口３１が設けられている。マンホール３内には、複数枚（図中３枚）の支持板３２が設けられており、各支持板３２には、縦管１１の縦管本体部１１１を挿通する孔３２１が設けられている。
【００１８】
まず、最初に、図２及び図３に示すように、マンホール３内に、図１に示す内面螺旋案内路付き管１の縦管１１を、３枚の支持板３２の各孔３２１に縦管本体部１１１を挿通し、最上段の支持板３２の孔３２１より受口１１４を突出させるようにして立設する。
【００１９】
次に、図４に示すように、縦管１１の受口１１４に、流入管接続部材１２を、その管接続部１２１を接続し、所望の高さに保持するように両者間を接着するようして固定する。
【００２０】
更に、図５に示すように、流入管２と流入管接続部材１２間を補助筒状体４を介して接続する。
補助筒状体４は、一端が開口され、他端が覆蓋されており、流入管接続部材１２の樋状部１２２の開口部に対応する下部に、開口部を有し、上部に点検口４１を有するものからなる。
【００２１】
補助筒状体４の一端を流入管２のマンホール３内に導入された端部に接着するとともに、流入管接続部材１２の樋状部１２２上に、開口部同士が連通するように載置し、開口部の周囲の両面間を接着する。
【００２２】
最後に、図６に示すように、補助筒状体４の点検口４１に蓋５を装着して、図７に示すように、マンホール３内に設置された縦管１１の上部に流入管接続部材１２及び補助筒状体４を介して流入管２を接続した状態となす。
【００２３】
流入管２よりマンホール３内に進入する下水Ｍは、補助筒状体４、流入管接続部材１２を経て縦管本体部１１内に流入し、第１の螺旋案内路１１２に沿って螺旋状に流下した後、螺旋状を維持流下し、第２の螺旋案内路１１２′に沿って螺旋状に流下する。下水は螺旋状に流下する間に減衰された状態となり、従って、流下する下水によってマンホール３の底部に強い衝撃が加わるおそれがなく、流出管１１５からマンホール３の流出口３１を経て暗渠配管に排出される。
【００２４】
【実施例】
以下、本発明を実施例により説明する。
実施例
縦管１１として、硬質ポリ塩化ビニルからなり、肉厚６ｍｍ、内径３５０ｍｍの縦管本体部１１１の上端に、肉厚６ｍｍ、内径３６２ｍｍの受口が一体的に設けられ、縦管本体部１１１内の上部に、硬質ポリ塩化ビニルからなり、肉厚８ｍｍ、外径３５０ｍｍ、内径１１０ｍｍの上部螺旋案内路１２が３ピッチ配置され、下部に、硬質ポリ塩化ビニルからなり、肉厚８ｍｍ、外径３５０ｍｍの下部螺旋案内路１２′が６ピッチ配設されているものを用いた。
【００２５】
流入管接続部材１２として、硬質ポリ塩化ビニルからなり、肉厚６ｍｍ、外径３６２ｍｍの接続管部１２１の上端に、接続管部の中空部に連通する開口部を有する肉厚６ｍｍの樋状部１２２が連結されたものを用いた。
【００２６】
図２〜図６を参照して説明したのと同様にして、マンホール３内にて、繊維強化樹脂モルタルからなり、肉厚１０ｍｍ、内径５００ｍｍの流入管２と、マンホール３内に設置された縦管１１の上部間を流入管接続部材１２及び補助筒状体４を介して接続した。このときに要した施工時間は３時間であった。
【００２７】
比較例
図８に示すように、マンホール内にて、十字型継手ｂを用いて、下水道用縦管ｅと流入管ｄを接続した。この際、下水道縦管ｅを傾けながら下水道縦管ｅと流入管ｄを接続する必要があった他、各部材のやりとりがやりにくく、施工に５時間を要してしまった。
【００２８】
【発明の効果】
本発明の内面螺旋案内路付き管は、上記のとおりにされているので、狭いマンホール内において、縦管の外径よりも大きい外径を有する流入管と接続し易い。
【図面の簡単な説明】
【図１】本発明の内面螺旋案内路付き管の一例を示す断面図である。
【図２】本発明の内面螺旋案内路付き管の縦管をマンホール内に設置した状態を示す断面図である。
【図３】図３の要部を示す斜視図である。
【図４】縦管の上部に流入管接続部材を接続する状態を説明する斜視図である。
【図５】流入管と流入管接続部材間を補助筒状体を介して接続する状態を説明する斜視図である。
【図６】補助筒状体の点検口に蓋を装着する状態を説明する斜視図である。
【図７】マンホール内に設置された縦管の上部に流入管接続部材及び補助筒状体を介して流入管を接続した状態を説明する断面図である。
【図８】従来の下水道用縦管一例を示す断面図である。
【符号の説明】
１  内面螺旋案内路付き管
２  流入管
３  マンホール
４  補助筒状体
５  蓋
１１  縦管
１２  流入管接続部材
３１  流出口
１１１  縦管
１１２，１１２′  螺旋案内路
１１３  空気芯筒
１１４  受口
１１５  流出管
【図１】
0004082527.tif 000002
【図２】
0004082527.tif 000003
【図３】
0004082527.tif 000004
【図４】
0004082527.tif 000005
【図５】
0004082527.tif 000006
【図６】
0004082527.tif 000007
【図７】
0004082527.tif 000008
【図８】
0004082527.tif 000009